(57)【特許請求の範囲】
【請求項１】
パネル面材（３２）とパネル支持板（３１）とを共締めする形態のパネル固定部材（１）であって、雄ネジ部（１２）と頭部（１５ａ）とを有する雄部材（１１）と、前記雄部材（１１）が前記パネル面材（３２）又は前記パネル支持板（３１）の何れか一方に挿通された状態で、該雄部材（１１）の頭部（１５ａ）と反対面側に突出する雄ネジ部（１２）に嵌装される環状板部材（１３）と、前記雄部材（１１）の雄ネジ部（１２）と螺合する雌ネジ部（２５ｃ）と頭部（２５ａ）とを有する雌部材（２１）とを具備し、前記環状板部材（１３）が、前記雄部材（１１）の雄ネジ部（１２）のネジ山の径よりも小さく、該雄ネジ部のネジ谷の径よりも大きい内径を有することを特徴とするパネル固定部材。
【請求項２】
請求項１記載のパネル固定部材において、前記環状板部材（１３）が、弾性を有する素材で構成されていることを特徴とするパネル固定部材。
【請求項３】
請求項１又は請求項２に記載のパネル固定部材において、前記パネル固定部材（１）の雄部材（１１）は、該雄部材（１１）の雄部材本体（１５）に形成する頭部（１５ａ）と、前記雄ネジ部（１２）との間に胴部（１５ｃ）を有すると共に、前記雄部材本体（１５）の胴部（１５ｃ）の頭部（１５ａ）側には、該胴部（１５ｃ）の軸を中心として軸対象となるように外周側へ突出した一対の連動防止突起（１５ｂ・１５ｂ）によって、大径部と小径部とを形成し、該、連動防止突起（１５ｂ・１５ｂ）によって、雄部材本体（１５）の胴部（１５ｃ）の頭部側の断面外周形状は、略小判形状としたことを特徴とするパネル固定部材。
【請求項４】
請求項３記載のパネル固定部材において、前記パネル面材（３２）又は前記パネル支持板（３１）に形成される雄部材挿入孔（３１ｂ）は、小径方向と大径方向を有する略長方形状や略小判形状の長孔に形成し、該雄部材挿入孔（３１ｂ）の小径方向の径は、前記雄部材（１１）の胴部（１５ｃ）の径と略同一とし、該雄部材挿入孔（３１ｂ）の大径方向の径は、該雄部材（１１）の連動防止突起（１５ｂ・１５ｂ）に形成された大径部の径よりも大きく形成したことを特徴とするパネル固定部材。
【発明の詳細な説明】
【技術分野】
【０００１】
本発明は、吹抜け化粧手摺等にパネル面材を取付けるための固定部材の技術に関する。
【背景技術】
【０００２】
多数の商業施設や公共施設などの建築物においては、「吹抜け化粧手摺」や「階段化粧手摺」等が設けられており、それらは透明のパネル面材（ガラス製、アクリル製）等を手摺を構成するフレーム等によって保持することにより構成されている。そして、従来から、透明のパネル面材の外観を損なうことなく、パネル面材を手摺を構成するフレーム等に固設するためのパネル固定部材も公知となっている（例えば、特許文献１参照。）。
【特許文献１】特開２０００−８７９２５号公報
【発明の開示】
【発明が解決しようとする課題】
【０００３】
しかし、特許文献１に記載のパネル固定部材のように、パネル面材と該パネル面材を支持する板状部材とを固定部材で両側から挟んで共締めする際には、パネル面材の一面側において一方の固定部材を保持しながら、該パネル面材の他面側において他方の固定部材を操作する必要があり、作業性が悪く、保持される側の固定部材が抜け落ちることがあった。特に、パネル面材をパネル支持板に配設するときには、パネル面材の吹抜け側に配設される固定部材が階下へ落下する虞があるために、作業に注意を要した。
【０００４】
そこで、本発明が解決しようとする課題は、パネル面材と該パネル面材を支持する板状部材とを両面側から挟んで共締めする形態のパネル固定部材であって、作業中に保持される側の固定部材が抜け落ちることがなく、作業性の良好なものを提供する。例えば、吹抜け化粧手摺等の施工時等に、吹抜け側から階下へとネジ等が落下し難いパネル固定部材を提供することである。
【課題を解決するための手段】
【０００５】
本発明の解決しようとする課題は以上の如くであり、次にこの課題を解決するための手段を説明する。
【０００６】
請求項１においては、パネル面材（３２）とパネル支持板（３１）とを共締めする形態のパネル固定部材（１）であって、雄ネジ部（１２）と頭部（１５ａ）とを有する雄部材（１１）と、前記雄部材（１１）が前記パネル面材（３２）又は前記パネル支持板（３１）の何れか一方に挿通された状態で、該雄部材（１１）の頭部（１５ａ）と反対面側に突出する雄ネジ部（１２）に嵌装される環状板部材（１３）と、前記雄部材（１１）の雄ネジ部（１２）と螺合する雌ネジ部（２５ｃ）と頭部（２５ａ）とを有する雌部材（２１）とを具備し、前記環状板部材（１３）が、前記雄部材（１１）の雄ネジ部（１２）のネジ山の径よりも小さく、該雄ネジ部のネジ谷の径よりも大きい内径を有するものである。
【０００７】
請求項２においては、請求項１記載のパネル固定部材において、前記環状板部材（１３）が、弾性を有する素材で構成されているものである。
【０００８】
請求項３においては、請求項１又は請求項２に記載のパネル固定部材において、前記パネル固定部材（１）の雄部材（１１）は、該雄部材（１１）の雄部材本体（１５）に形成する頭部（１５ａ）と、前記雄ネジ部（１２）との間に胴部（１５ｃ）を有すると共に、前記雄部材本体（１５）の胴部（１５ｃ）の頭部（１５ａ）側には、該胴部（１５ｃ）の軸を中心として軸対象となるように外周側へ突出した一対の連動防止突起（１５ｂ・１５ｂ）によって、大径部と小径部とを形成し、該、連動防止突起（１５ｂ・１５ｂ）によって、雄部材本体（１５）の胴部（１５ｃ）の頭部側の断面外周形状は、略小判形状としたものである。
【０００９】
請求項４においては、請求項３記載のパネル固定部材において、前記パネル面材（３２）又は前記パネル支持板（３１）に形成される雄部材挿入孔（３１ｂ）は、小径方向と大径方向を有する略長方形状や略小判形状の長孔に形成し、該雄部材挿入孔（３１ｂ）の小径方向の径は、前記雄部材（１１）の胴部（１５ｃ）の径と略同一とし、該雄部材挿入孔（３１ｂ）の大径方向の径は、該雄部材（１１）の連動防止突起（１５ｂ・１５ｂ）に形成された大径部の径よりも大きく形成したものである。
【発明の効果】
【００１０】
本発明の効果として、以下に示すような効果を奏する。
【００１１】
請求項１においては、パネル面材（３２）とパネル支持板（３１）とを共締めする形態のパネル固定部材（１）であって、雄ネジ部（１２）と頭部（１５ａ）とを有する雄部材（１１）と、前記雄部材（１１）が前記パネル面材（３２）又は前記パネル支持板（３１）の何れか一方に挿通された状態で、該雄部材（１１）の頭部（１５ａ）と反対面側に突出する雄ネジ部（１２）に嵌装される環状板部材（１３）と、前記雄部材（１１）の雄ネジ部（１２）と螺合する雌ネジ部（２５ｃ）と頭部（２５ａ）とを有する雌部材（２１）とを具備したので、環状板部材と雄部材の環状板部材の間にパネル支持板を挟むことができ、予めパネル支持板に雄部材を仮止めしてから、雌部材によってパネル面材とパネル支持板とを共締めすることができるため、吹抜け化粧手摺の施工時等にパネル支持板から雄部材が外れにくくなり、作業性が向上し、吹抜け側から階下へのネジ等の落下を防止することができる。
また、前記環状板部材（１３）が、前記雄部材（１１）の雄ネジ部（１２）のネジ山の径よりも小さく、該雄ネジ部のネジ谷の径よりも大きい内径を有するので、環状板部材を回動しながら雄ネジ部に嵌め込むことができ、環状板部材の内周が雄ネジ部のネジ山に当接して外れ難くなり、パネル支持板への雄部材の仮止めの信頼性を向上させることができる。
【００１２】
請求項２においては、請求項１記載のパネル固定部材において、前記環状板部材（１３）が、弾性を有する素材で構成されているので、環状板部材を撓ませて雄ネジ部に押し込むことができるので、容易にパネル支持板等に雄部材を仮止めすることができる。
【００１３】
請求項３においては、請求項１又は請求項２に記載のパネル固定部材において、前記パネル固定部材（１）の雄部材（１１）は、該雄部材（１１）の雄部材本体（１５）に形成する頭部（１５ａ）と、前記雄ネジ部（１２）との間に胴部（１５ｃ）を有すると共に、前記雄部材本体（１５）の胴部（１５ｃ）の頭部（１５ａ）側には、該胴部（１５ｃ）の軸を中心として軸対象となるように外周側へ突出した一対の連動防止突起（１５ｂ・１５ｂ）によって、大径部と小径部とを形成し、該、連動防止突起（１５ｂ・１５ｂ）によって、雄部材本体（１５）の胴部（１５ｃ）の頭部側の断面外周形状は、略小判形状としたので、雄部材をパネル支持板に仮止めすると、雄部材の胴部とパネル支持板の雄部材挿入孔とが当接し雄部材の回動が規制されるため、作業者は、雄部材を押さえなくても雌部材のみを回動させることによって雄部材と雌部材とを連結する、即ちパネル面材とパネル支持板とを共締めすることができる。
【００１４】
請求項４においては、請求項３記載のパネル固定部材において、前記パネル面材（３２）又は前記パネル支持板（３１）に形成される雄部材挿入孔（３１ｂ）は、小径方向と大径方向を有する略長方形状や略小判形状の長孔に形成し、該雄部材挿入孔（３１ｂ）の小径方向の径は、前記雄部材（１１）の胴部（１５ｃ）の径と略同一とし、該雄部材挿入孔（３１ｂ）の大径方向の径は、該雄部材（１１）の連動防止突起（１５ｂ・１５ｂ）に形成された大径部の径よりも大きく形成したので、雄部材をパネル支持板に仮止めすると、雄部材の胴部とパネル支持板の雄部材挿入孔とが当接し雄部材の回動が規制されるため、作業者は、雄部材を押さえなくても雌部材のみを回動させることによって雄部材と雌部材とを連結する、即ちパネル面材とパネル支持板とを共締めすることができる。
【発明を実施するための最良の形態】
【００１５】
次に、発明の実施の形態を説明する。図１は本発明のパネル固定部材１の一実施例を示す斜視図、図２は雄部材１１の一実施例を示す正面斜視図、図３は雌部材２１の一実施例を示す背面斜視図、図４はパネル支持板３１に雄部材１１を取付けた状態を示す一部断面側面図、図５は雄部材１１に雌部材２１を螺挿する途中の状態を示す一部断面側面図、図６はパネル支持板３１とパネル面材３２とを共締めした状態を示す側面断面図、図７は同じく平面断面図である。
【００１６】
図１に示すように、本発明の実施例に係るパネル固定部材１は、雄ネジ部１２を有する雄部材１１と、該雄ネジ部１２に嵌装される環状板部材１３と、雌ネジ部２５ｃを有する雌部材２１とから構成されるものであり、該雄部材１１の雄ネジ部１２を該雌部材２１の雌ネジ部２５ｃに螺挿することによって、雄部材１１と雌部材２１とが螺結される。そして、図６及び図７に示すように、上記パネル固定部材１は、後述の雄部材１１の頭部１５ａと、雌部材２１の頭部２５ａとの間に、パネル支持板３１とパネル面材３２とを挟み込んで共締めすることによって、パネル支持板３１とパネル面材３２とを連結するものである。
【００１７】
前記パネル固定部材１によってパネル支持板３１に共締めされるパネル面材３２は、ガラスやアクリル等で構成される透明面材であって、後述するパネル支持板３１に固設されるものである。一方、前記パネル面材３２が共締めされるパネル支持板３１は、階段や廊下に配設される吹抜け化粧手摺や階段化粧手摺や建物の構造フレーム（以下、吹抜け化粧手摺等という。）に設けられ、該吹抜け化粧手摺にパネル面材３２を固定するための板状体（ステー）であって、樹脂や金属等から構成されるものである。なお、パネル支持板３１にパネル固定部材１にて固定されたパネル面材３２にて、吹抜け化粧手摺等の腰壁部分が形成される。
【００１８】
図２に示すように、前記雄部材１１は、セラミックスや金属等で構成された雄部材本体１５と、雄ネジ部１２となる棒ネジとから成るものである。前記雄部材本体１５は、いわゆる雌ボルトであって、頭部１５ａと、内周に雌ネジが切られた胴部１５ｃとが一体的に形成される。前記雄部材本体１５の胴部１５ｃの頭部１５ａ側には、該胴部１５ｃの軸を中心として軸対象となるように外周側へ突出した一対の連動防止突起１５ｂ・１５ｂによって、大径部が形成されている。本実施例では、連動防止突起１５ｂ・１５ｂによって、雄部材本体１５の胴部１５ｃの頭部側の断面外周形状は、小判形状となっている。雄部材１１の雄ネジ部１２を形成する棒ネジは、前記雄部材本体１５の胴部１５ｃに設けられた雌ネジに螺入されて、該雄部材本体１５に固定される。前記棒ネジの外周には、階段や廊下で生じる振動等によって雄部材１１と雌部材２１との連結が緩むことを防止するために緩み防止剤が塗布されている。
【００１９】
前記雄部材１１の雄ネジ部１２には、環状板部材１３が着脱可能に嵌装される。前記環状板部材１３は、樹脂等の弾性素材で成る弾性体である。詳しくは、環状板部材１３は、プラスチック等の弾性変形可能な材料で形成された円盤状部材であって、芯部には前記雄部材１１の雄ネジ部１２を挿通可能な雄ネジ用孔１３ｂが穿設されている。該雄ネジ用孔１３ｂの径は、前記雄ネジ部１２のネジ山の径より小さく、ネジ谷の径より大きくなるように形成されている（図４参照）。また、環状板部材１３の厚みは、前記雄ネジ部１２のネジ山間隔より小さくなるように構成されている。上記構成の環状板部材１３を雄部材１１の雄ネジ部１２に押し込むと、該環状板部材１３が弾性変形することによって、雄ネジ用孔１３ｂが雄ネジ部１２のネジ山を乗り越え、該雄ネジ用孔１３ｂが雄ネジ部１２のネジ山間に在る位置で安定する。但し、環状板部材１３の雄ネジ用孔１３ｂを、雄ネジ部１２のネジ山に沿わせながら、該環状板部材１３を回動させることにて、該雄ネジ部１２に外嵌することもできる。
【００２０】
図３に示すように、前記雌部材２１は、セラミックスや金属等で形成された、いわゆる雌ボルトで成る雌部材本体２５で構成されるものである。前記雌部材本体２５は、雌ボルトの頭部に相当する頭部２５ａと、同じく雌ボルトの胴部に相当する円筒状に形成されたボス２５ｂと、前記雄部材１１の雄ネジ部１２が螺挿されるために該ボス２５ｂの内周に形成された雌ネジ部２５ｃ等から構成されるものである。図１に戻って、前記雌部材本体２５の頭部２５ａの正面視中央にはレンチ用孔２５ｄが形成されており、該レンチ用孔２５ｄに六角レンチ等の工具を挿入し、該六角レンチにて雌部材２１を回動させて雌部材２１を雄部材１１に連結することができる。
【００２１】
前記雌部材本体２５のボス２５ｂにはワッシャー２３が遊嵌される。該ワッシャー２３は、雌部材２１の回動を滑らかにし、該雌部材２１を緩み止めし、また、パネル固定部材１によるパネル面材３２及びパネル支持板３１の締めつけ圧力を緩和するためのものである。前記ワッシャー２３は、パネル面材３２に傷を付けないように、樹脂等の弾性体で形成されている。詳しくは、ワッシャー２３は、プラスチック等の材料で形成された円盤状部材であって、芯部に雌部材本体２５のボス２５ｂの外周径よりも大きい径を有するボス用孔２３ｂが形成されている。
【００２２】
次に、本発明のパネル固定部材１の使用方法について説明する。まず、図４に示すように、吹抜け化粧手摺等に設けられたパネル支持板３１に形成された雄部材挿入孔３１ｂに、雄部材１１の雄ネジ部１２と胴部１５ｃとを挿入する。ここで、パネル支持板３１には、予め雄部材挿入孔３１ｂが形成されているものとし、該雄部材挿入孔３１ｂは、小径方向と大径方向を有する形状（例えば、略長方形状や略小判形状）の長孔に形成される。この雄部材挿入孔３１ｂの小径方向の径は、雄部材１１の胴部１５ｃの径と略同一であって、また、雄部材挿入孔３１ｂの大径方向の径は、雄部材１１の連動防止突起１５ｂ・１５ｂが形成された大径部の径よりも大きくなるように形成される。これにより、雄部材挿入孔３１ｂに雄部材１１の胴部１５ｃが嵌入されると、連動防止突起１５ｂ・１５ｂにて雄部材挿入孔３１ｂに相対する雄部材１１の回動が規制される。
【００２３】
そして、雄部材１１の頭部１５ａがパネル支持板３１に当接するまで雄部材挿入孔３１ｂに挿入された状態において、雄ネジ部１２が雄部材挿入孔３１ｂから突出し、胴部１５ｃが雄部材挿入孔３１ｂに収まるように、雄部材１１の胴部１５ｃの長さがパネル支持板３１の厚みと略一致するように構成すると好ましい。雄部材１１の雄ネジ部１２に押し込まれた環状板部材１３が、該雄部材１１の胴部１５ｃに当接することによって、該雄ネジ部１２の軸方向に対して略直交する方向に環状板部材１３の姿勢が安定する。
【００２４】
そして、雄部材１１が雄部材挿入孔３１ｂに挿入された状態で、雄部材１１の雄ネジ部１２に環状板部材１３を外嵌する。このとき、図４及び図５に示すように、雄部材１１の頭部１５ａと環状板部材１３との間にパネル支持板３１が挟み込まれる。環状板部材１３は弾性体であるため、作業者は、雄部材挿入孔３１ｂに雄部材１１を挿入した後、雄ネジ部１２に環状板部材１３を押し込んで外嵌することができる。そして、前述した様に、雄ネジ部１２に環状板部材１３を取付けた状態において、雄部材１１の雄ネジ部１２は、雄部材挿入孔３１ｂから突出している。
【００２５】
このように、パネル面材３２とパネル支持板３１とを共締めする形態のパネル固定部材１であって、頭部１５ａと雄ネジ部１２とを有する雄部材１１と、前記雄部材１１が前記パネル面材３２又は前記パネル支持板３１の何れか一方に挿通された状態で、該雄部材１１の頭部１５ａと反対面側に突出する雄ネジ部１２に嵌装される環状板部材１３と、頭部１５ａと前記雄部材１１の雄ネジ部１２と螺合する雌ネジ部２５ｃとを有する雌部材２１とを、具備するので、環状板部材１３と雄部材１１の頭部１５ａの間にパネル支持板３１を挟むことができ、予めパネル支持板３１に雄部材１１を仮止めしてから、雌部材２１によってパネル面材３２とパネル支持板３１とを共締めすることができるため、吹抜け化粧手摺の施工時等にパネル支持板３１から雄部材１１が外れにくくなり、作業性が向上し、吹抜け側から階下への雄部材１１等の落下を防止することができる。
【００２６】
また、前記環状板部材１３が、前記雄部材１１の雄ネジ部１２のネジ山の径よりも小さく、該雄ネジ部１２のネジ谷の径よりも大きい内径を有するので、環状板部材１３を回動しながら雄ネジ部１２に嵌め込むことができ、環状板部材１３の内周が雄ネジ部１２のネジ山に当接して外れ難くなり、パネル支持板３１への雄部材１１の仮止めの信頼性を向上させることができる。
【００２７】
前記環状板部材１３が、弾性を有する素材で構成されているので、環状板部材１３を撓ませて雄ネジ部１２に押し込むことができるので、容易にパネル支持板３１等に雄部材１１を仮止めすることができる。
【００２８】
次に、図５に示すように、パネル面材３２に形成された雌部材挿入孔３２ｂに前記雄部材１１の雄ネジ部１２が挿入された状態で、パネル面材３２を前記環状板部材１３に当接させる。そして、前記ワッシャー２３を外嵌した雌部材２１を該パネル面材３２の雌部材挿入孔３２ｂに挿入しつつ、雄ネジ部１２を該雌部材本体２５の雌ネジ部２５ｃに螺挿する。このとき、雄部材１１の頭部１５ａと環状板部材１３の間には前記パネル支持板３１が挟み込まれているため、前記雄部材１１は雄部材挿入孔３１ｂに入り込んだままで、即ち雄ネジ部１２が該雄部材挿入孔３１ｂから略水平方向に突出したままの姿勢で保持されており、作業者は雄部材１１を保持する必要がなく、パネル面材３２の保持と雌部材２１の操作に注力することができる。
【００２９】
図５乃至図７に示すように、雌部材２１の雌ネジ部２５ｃに雄部材１１の雄ネジ部１２が螺挿されて、該雄部材１１と雌部材２１とが螺結されると、雄部材１１の頭部１５ａと環状板部材１３との間にパネル支持板３１が挟まれ、該環状板部材１３と雌部材２１の頭部２５ａ（ワッシャー２３）との間にパネル面材３２が挟まれた状態で、パネル固定部材１にてパネル支持板３１とパネル面材３２とが共締めされる。
【００３０】
前述したように、パネル支持板３１の雄部材挿入孔３１ｂは短尺方向と長尺方向を有する長孔に形成され、雄部材１１の胴部１５ｃには連動防止突起１５ｂ・１５ｂが形成されているため、雄部材１１が雄部材挿入孔３１ｂに対して相対回転不能となる。従って、雌部材２１に雄部材１１を螺挿する際に、雄部材１１が雌部材２１と連れ回りしないので、雌部材２１を回動させるだけで雄部材１１と雌部材２１とを連結することができ、作業性が向上する。
【００３１】
このように、パネル固定部材１の雄部材１１が、該雄部材１１の頭部１５ａと雄ネジ部１２との間に胴部１５ｃを有するとともに、該胴部１５ｃの頭部１５ａ側の断面が大径部（１５ｂ・１５ｂ）と小径部１５ｃとを有する略小判形状であり、前記パネル面材３２又は前記パネル支持板３１に形成される雄部材挿入孔３１ｂの形状が、短尺方向の長さが雄部材の胴部１５ｃの小径部の径と略同一であって、長尺方向の長さが雄部材１１の胴部１５ｃの大径部（１５ｂ・１５ｂ）の径よりも大きい長孔であるので、雄部材１１をパネル支持板３１に仮止めすると、雄部材１１の大径部（１５ｂ・１５ｂ）とパネル支持板３１の雄部材挿入孔３１ｂが当接し、雄部材１１の回動が規制されるため、作業者は、雄部材１１を押さえなくても雌部材２１のみを回動させることによって雄部材１１と雌部材２１とを連結する、即ちパネル面材３２とパネル支持板３１とを共締めすることができる。
【００３２】
一方、パネル面材３２には、雌部材２１のボス２５ｂが挿入される雌部材挿入孔３２ｂが穿設される。該雌部材挿入孔３２ｂに対して、雄部材１１のボス２５ｂは回動自在となるように形成されている。そして、前述したように、ワッシャー２３は、樹脂等で成る弾性体であり、雌部材２１の頭部２５ａとパネル面材３２との間の摩擦力を低減させつつ、金属製等の頭部２５ａが回動する際に、該パネル面材３２と擦れて該パネル面材３２の表面を傷つけることが無いように構成されている。
【００３３】
このように、前記ワッシャー２３を弾性材で構成したので、ワッシャー２３を介してパネル面材３２等を挟み込むため、ガラス等で形成されたパネル面材３２を頭部２５ａによって傷つけることなくパネル支持板３１等と共締めすることができる。また、ワッシャー２３を介することによって、頭部２５ａとパネル面材３２とが当接する場合に比べて摩擦が小さくなり、雌部材２１を回動させ易くなる。
【００３４】
以上、本実施例においては、パネル支持板３１が吹抜け側に、パネル面材３２が階段や廊下側に配設される場合において説明したものであり、パネル支持板３１側に雄部材１１を挿入し、パネル面材３２側に雌部材２１を挿入する構成としているが、雄部材１１と雌部材２１とを逆に配設する構成であってもよく、限定するものではない。即ち、パネル面材３２側に雄部材１１を挿入し、パネル支持板３１側に雌部材２１を挿入する構成であっても良く、何れの場合においても作業性を向上させることができ、パネル支持板３１若しくはパネル面材３２から雄部材１１が落下することを防止することができる。
【図面の簡単な説明】
【００３５】
【図１】本発明のパネル固定部材１の一実施例を示す斜視図。
【図２】雄部材１１の一実施例を示す正面斜視図。
【図３】雌部材２１の一実施例を示す背面斜視図。
【図４】パネル支持板３１に雄部材１１を取付けた状態を示す一部断面側面図。
【図５】雄部材１１に雌部材２１を螺挿する途中の状態を示す一部断面側面図。
【図６】パネル支持板３１とパネル面材３２とを共締めした状態を示す側面断面図。
【図７】同じく平面断面図。
【符号の説明】
【００３６】
１    パネル固定部材
１１    雄部材
１２    雄ネジ部
１３    環状板部材
１３ｂ    雄ネジ用孔
１５    雄部材本体
１５ａ    頭部
１５ｂ    連動防止突起
１５ｃ    胴部
２１    雌部材
２３    ワッシャー
２５    雌部材本体
２５ａ    頭部
２５ｂ    ボス
２５ｃ    雌ネジ部
２５ｄ    レンチ用孔
３１    パネル支持板
３１ｂ    雄部材挿入孔
３２    パネル面材
３２ｂ    雌部材挿入孔
【図１】
0004618144.tif 000002
【図２】
0004618144.tif 000003
【図３】
0004618144.tif 000004
【図４】
0004618144.tif 000005
【図５】
0004618144.tif 000006
【図６】
0004618144.tif 000007
【図７】
0004618144.tif 000008